(57)【要約】【課題】書類などを挟み止めたときにその書類などの周囲の外側に大きく出っ張ることがない横挟み式クリップを提供する。【解決手段】前部の挟持部１２と後部の押圧部１４が一体化した一方の対向部２と、前記挟持部１２と前記押圧部１４に対向して前部の挟持部１３と後部の押圧部１５が一体化した他方の対向部1とが、両対向部１、２の間に設けられた擺動支持部１０を備えた連結部６で前記両押圧部１４、１５間を閉じると前記両挟持部１２、１３間が開くように連結され、前記連結部6は、両挟持部１２、１３間を開いたとき両挟持部１２、１３、両押圧部１４、１５、両対面部１ｃ、２ｃ及び対向した一方側の側部１ｂ、２ｂの間が被挟持物を差し込み可能な間隔を持って分離され、且つ対向した他方側の側部１ａ、２ａ間のみが繋がるように設けられ、前記両対向部１、２間に両挟持部１２、１３を閉じる方向に附勢する附勢手段４が設けられる。【選択図】  図１
2010241057.tif 000002
【特許請求の範囲】
【請求項１】
前部の挟持部と後部の押圧部が一体化した一方の対向部と、前記挟持部と前記押圧部に対向して前部の挟持部と後部の押圧部が一体化した他方の対向部とが、両対向部の間の一方側の側部のみに設けられた擺動支持部を備えた連結部で、前記両押圧部間を閉じると前記両挟持部間が開くように連結され、
前記両対向部間に前記両挟持部を閉じる方向に附勢する附勢手段が設けられ、
前記両挟持部間を開いて前記連結部に向けて横方向から差し込まれた被挟持物を、前記両挟持部で加圧状態に挟み止め可能としたことを特徴とする横挟み式クリップ。
【請求項２】
擺動支持部を、前記両対向部の対向面と平行に形成された枢支孔とその枢支孔に貫装される枢支軸とにより、前記両押圧部間を閉じると前記両挟持部間が開くように形成されたことを特徴とする請求項１に記載の横挟み式クリップ。
【請求項３】
挟持部の先端部に、対向側の挟持部の対向面に歯先を向けて鋸歯状の押圧部材を装着したことを特徴とする請求項１又は２に記載の横挟み式クリップ。
【発明の詳細な説明】
【技術分野】
【０００１】
本発明は、紙、布、シート、書類などの被挟持物を重ね合わせるなどして挟み止めるクリップに関する。
【背景技術】
【０００２】
従来、各種のクリップが、書類や重ねた紙や袋口などを挟み付けたりして使用されている。その代表的な構造としては、渦巻き線式クリップ、洗濯挟み式クリップ及び板バネによる力点部折畳み式クリップがある。
その内の渦巻き線式クリップ（一般にはゼムクリップと呼ばれている）は、平面上に鋼線を渦巻きに形成した極めて軽く簡単な構造をしている。このため大量生産にも適し低価格で大量に提供されている。このクリップは、綴じる紙などが数枚で薄い場合には巧く綴じ止められるが、枚数が多く、また厚い状態になったものについては、挟み綴じようとクリップを差込んでもすぐに被着物から弾き出されて外れてしまい、巧く綴じて止めておくことができない欠点がある。
【０００３】
また、前記洗濯挟み式クリップについては、図９に示すように、枢支点を挟んで反対側に綴じるための作用点とその作用点を開けるために押圧するための力点があるので、綴じた書類（図９中の一点鎖線で示す）の外にその力点部分が大きく出っ張ってしまう（出っ張る部分が図９のＷの幅で示される）ことになる。このために書類のサイズ（Ａ４サイズなど）に合せて作られた入れ物（鞄、封筒、机の引出し等）には挟み綴じたままではクリップの力点部分が枠などに突き当たってしまい、うまく入らない欠点がある。また、書類の整理をするにしても、その出っ張った力点部分が邪魔になり、書類を整えるのがやりにくい難点がある。
【０００４】
さらに、下記特許文献１のような板バネによる力点折畳み式クリップについては、鋼製板を両端辺の咬み合せ部分が閉じる方向に押圧されて附勢状態に折曲部分を膨らませて二つに折畳み、鋼製の二つ折した鋼製板の二倍程度の長さとなるコ字型の線材の先端を前記咬み合わせ部分に連結した構造となっている。
これを使用する時には、その両側のコ字型の線材の屈曲側の中間部位を前記二つ折りの鋼製板の膨らみ部分に当ててそこを支点にして線材の両側の屈曲部分を押圧し、咬み合わせ部分を開くようになっている。そして、書類などを挟み綴じたらその書類などの外側に突出している前記コ字型の線材を、咬み合わせ部分側に（書類の縁内の紙面内に）回転させて折り曲げて移動させる。このため上記洗濯挟み式クリップのような力点部分が書類などの外側に出っ張ることによる欠点は解消される。
しかし、２本の線材と１枚の鋼製板の三部品を組み付けたものであるため構造が複雑となり、低コストで供給することができないことと、また開くときに使う線材部分を開閉操作するのが面倒であるという難点がある。
【０００５】
また、下記特許文献２には書類などの直角コーナー部分を挟み止めるコーナークリップが提案されている。この特許文献２のコーナークリップは、上下の直角三角形状の板状の挟持部の直角部分を挟む両辺部分に、コーナーを両側から囲うように弾性体が装着されており、書類などの直角コーナー部分（尖った部分）は挟持部に差し込んで挟み止めることができるが、書類などの直線状の辺縁部を差し込もうとしても両側の弾性体が障害となって挟持部内に深く且つ円滑に差し込むことができないので、通常使用されている書類などの直線状の辺縁部への使用には適していない。
【先行技術文献】
【特許文献】
【０００６】
【特許文献１】特開２００６‐３４７１５７号公報
【特許文献２】特開２００３‐２３７２７４号公報
【発明の概要】
【発明が解決しようとする課題】
【０００７】
本発明は、上記の実情に鑑みてなされたもので、クリップで書類などの被挟持物の直線状の辺縁部を挟み止めたときに、その被挟持物の周囲の外側にクリップの一部が大きく出っ張ることがないようにすることによって、カバン、机の引出し、箱、袋、封筒などに入れやすくしたコンパクトな横挟み式クリップを提供することを課題とする。
【課題を解決するための手段】
【０００８】
上記課題を解決するための本発明の横挟み式クリップは、請求項１に記載の発明にあっては、前部の挟持部と後部の押圧部が一体化した一方の対向部と、前記挟持部と前記押圧部に対向して前部の挟持部と後部の押圧部が一体化した他方の対向部とが、両対向部の間の一方側の側部のみに設けられた擺動支持部を備えた連結部で、前記両押圧部間を閉じると前記両挟持部間が開くように連結され、前記両対向部間に前記両挟持部を閉じる方向に附勢する附勢手段が設けられ、前記両挟持部間を開いて前記連結部に向けて横方向から差し込まれた被挟持物を、前記両挟持部で加圧状態に挟み止めることができるようにしたことを特徴とする。
【０００９】
請求項２に記載の発明は、上記発明において、前記擺動支持部を、前記両対向部の対向面と平行に形成された枢支孔とその枢支孔に貫装される枢支軸とにより、前記両押圧部間を閉じると前記両挟持部間が開くように形成されたことを特徴とする。
【００１０】
請求項３に記載の発明は、上記各発明において、前記挟持部の先端部に、対向側の挟持部の対向面に歯先を向けて鋸歯状の押圧部材を装着したことを特徴とする。
【発明の効果】
【００１１】
本発明は以上のようで、請求項１に記載の発明においては、両押圧部を指などで押圧して閉じると、両挟持部間が附勢手段の附勢力に抗して開き、指などを離してその押圧を解除すると、前記両挟持部間が前記附勢手段によって加圧状態で咬むように閉じられる。
その際、前記押圧部を押圧して開いた前記挟持部間へ、重ね合わせた書類などの被挟持物を一方側の側部のみに設けられた前記連結部に向けて開放された他方側の側部から差し込む（即ち横方向から差し込む）ことが可能となり、そのまま指を離すと、書類などの被挟持物の直線状の辺縁部と本発明の前後方向が平行状態となって前記両挟持部間に加圧状態で挟み止められる。
【００１２】
そして、その書類などの被挟持物が挟み止められた状態では、書類などの被挟持物の直線状の辺縁部から外側に厳密には連結部の厚さ分だけは出っ張ることはあるが、それはクリップ全体から見れば極めいて少ない食み出しとなり、これまでのように、書類などの被挟持物の辺縁部の外側に押圧部が大きく出っ張るようなことはなくなる。
このため本発明ではカバン、机の引出し、箱、袋、封筒などにクリップが引っ掛かることなく円滑に入れることが可能となる。
【００１３】
また、横幅方向の差し込み深さは、開閉する間隔の大きさとは関係ないので、横幅の寸法を自由に設計することが可能となる。このため、例えば幅狭に形成すれば被挟持物の辺縁から表面深く食い込むことがないように狭い綴じ幅で挟み止めることが可能となる。
【００１４】
さらに、請求項２の形態では、前記擺動支持部が枢支孔とその枢支孔に貫装される枢支軸とにより前記両挟持部間が開閉可能に枢支され、前記両対向部が前記枢支軸を中心に確実に擺動可能となり、また全体として簡単な構造となるので製造も容易となる。
【００１５】
また、請求項３の形態では、被挟持物を挟み止めるとき、前記挟持部に装着された鋸歯状の押圧部材の歯先が被挟持物の表面に食い込み、挟んだ被挟持物が簡単に抜けてしまうおそれがなくなり、被挟持物を確実に挟み止めることが可能となる。
【図面の簡単な説明】
【００１６】
【図１】本発明を構成する各部を分離した状態を示す斜視図である。
【図２】本発明の（イ）が挟持部を閉じている状態を、（ロ）が挟持部を開いている状態を示す各斜視図である。
【図３】被挟持物を挟み止めている状態を示す斜視図である。
【図４】別の態様の（イ）は構成する各部を分離した状態を示し、（ロ）が挟持部を閉じている状態を示す各斜視図である。
【図５】また別の態様の構成する各部を分離した状態を示す斜視図である。
【図６】図５の態様の挟持部を閉じている状態を示す斜視図である。
【図７】さらに別の態様の（イ）は構成する各部を分離した状態を示し、（ロ）が挟持部を閉じている状態を示す各斜視図である。
【図８】別の態様の被挟持物を挟み止めている状態を示す斜視図である。
【図９】従来のクリップの斜視図である。
【発明を実施するための形態】
【００１７】
本発明の横挟み式クリップの実施の形態を次に説明する。
本発明は、図２の（イ）及び（ロ）に示すように、前部の挟持部１２と後部の押圧部１４が一体化した一方の対向部２と、前記挟持部１２と前記押圧部１４に対向して前部の挟持部１３と後部の押圧部１５が一体化した他方の対向部1とが、両対向部１、２の間に設けられた擺動支持部１０を備えた連結部６で前記両押圧部１４、１５間を閉じると前記両挟持部１２、１３間が開くように連結される。
【００１８】
前記擺動支持部１０は、図１に示すように、前記一方の対向部２側と前記他方の対向部１側とに分かれて相互に対応した形状に形成される。
即ち、前記一方の対向部２側では、前記挟持部１２と押圧部１４との中間に丸い凸部１８、19が両側に形成され、その両凸部１８、１９には枢支孔１１が貫設され、前記両凸部１８、１９の間には丸い溝状の凹部１７が形成される。
【００１９】
また、前記他方の対向部１側の前記擺動支持部１０は、板状に一体の挟持部１３と押圧部１５の一方の側部１ａに板状の連結部６を直立させて形成し、その連結部６の上端部に、板状に一体の挟持部１３と押圧部１５に対して平行に対面した押圧側支持部７を形成し、その押圧側支持部の中央寄りの先端に、中央部の丸い凸部８とその両側の丸い凹部１６を形成しその凸部８には枢支孔９が貫設される。
【００２０】
そして、嵌合可能に対応した前記両対向部１、２の各擺動支持部１０の枢支孔９、１１に枢支軸３が挿着されて、図２の（イ）に示すように、前記両対向部１、２が連結される。
前記枢支軸３を挿着する際に、コイルバネ５を前記両挟持部１２、１３間が閉じる方向に附勢されるように前記枢支軸３を差し込んで装着する。
【００２１】
上記のように、前記連結部６は、前記両対向部１、２の両挟持部間を開いたとき前記両挟持部１２、１３、両押圧部１４、１５、両対面部１ｃ、２ｃ及び対向した一方側の側部１ｂ、２ｂの間が被挟持物を差し込み可能な間隔に分離され（図２の（ロ）に示す）、且つ対向した他方側の側部１ａ、２ａ間のみが繋がるように設けられ、前記両対向部１、２間に前記両挟持部１２、１３を閉じる方向に附勢する附勢手段４（図１ではコイルバネ５）が設けられる。
図１に示すコイルバネ５は前記両挟持部１２、１３間を閉じる方向に附勢するための手段であり、このような附勢手段４は板バネやその他の伸縮材なども使用可能である。
【００２２】
そして、前記両挟持部１２、１３間を開いて（図２の（ロ）に示す）対向部の対面部１ｃと押圧側支持部の内面７ａの間を通って前記連結部６の内面６ａに向けて横方向から突き当てるように差し込まれた被挟持物Ｐを、前記両挟持部１２、１３で加圧状態に挟み止める（図３に示す）ことができるようにする。
【００２３】
前記擺動支持部１０は、図２の（イ）に示す態様では、前記両対向部１の連結部６に固定された押圧側支持部の先端の前記凸部８の前記対向部２の対向面２ｃと平行に形成された枢支孔９と、前記対向部１の対向面１ｃと平行に形成された前記対向部１の枢支孔１１と、その両枢支孔９、１１に貫装される枢支軸３とにより、前記両押圧部１４、１５間を閉じると前記両挟持部１２、１３間が開くように形成される。
【００２４】
また、図１に示す形態では、前記擺動支持部１０は、押圧側支持部の丸い凹部１６と、押圧側支持部の丸い凹部１７と、押圧側支持部の丸い凸部１８と、押圧側支持部の丸い凸部１９とで枢支された態様を示しているが、別に図４に示す態様も可能である。
その図４に示す態様は、図２の（イ）に示す態様のうち、押圧側支持部７を短く形成したものである。
前記押圧側支持部７の長さはクリップとしての挟み止める機能とは関係なく、前記擺動支持部１０が確実に固定できれば良いので、変形や破損などが発生しないように強度的に満たされていればその長さは自由に変更できる。
なお、この図４では、前記連結部６を台形に形成した態様を示している。
【００２５】
また別の態様として、各部の部材を分離させた状態を示す図５と、それを組み立ててできた図６で示すように、前記連結部６を挟持部１３側に長く形成したものである。こうすれば前記連結部６の強度が高められて前記擺動支持部１０がより確実に固定できるようになる。
しかし、上記図１の態様では挟持部１３側の前方向から連結部６までの開き空間への被挟持物Ｐの差し込みも可能となるのに対して、この図６のように前記連結部６を挟持部１３側に長く形成した態様の場合には、挟持部１３側に長く形成した前記連結部６があるため挟持部１３側の前方向から挟持物Ｐの差し込みを行うことはできなくなる。
【００２６】
またこれとは別の態様として、図７に示すように、前記対向部１の側部１ａに棒状の連結部２１を立設し、その先端に横向きの枢支軸２２を一体的に形成して、その枢支軸２２を前記対向部２の凸部１８に設けた枢支孔１１に差し込んで前記両対向部１、２を連結することも可能である。その際コイルバネ５を前記両挟持部１２、１３間を閉じる方向に附勢可能に装着する。
この場合でも前記擺動支持部１０が確実に固定できれば良いので、変形や破損などが起こらないように強度的に十分であれば形状は自由に変更できる。
【００２７】
また、それらとは別の横幅の狭い場合（被挟持物の辺縁から内部への食い込み深さが浅い場合）の形態として、前記挟持部１２の先端部には、図８に示すように。対向側の挟持部１３の対向面に歯先を向けて鋸歯状の押圧部材２４を枢支部２０で開閉角度がフリーになるように装着することができる。
こうすれば、歯先全体が被挟持物の辺縁に対して平行になって被挟持物の横方向への引き出しを押圧して防止できるようになる。
なお、図示しないが、前記両挟持部１２、１３のいずれか一方又は両方の先端には略閉方向に向けて鋸歯状に咬み合い歯を形成することも可能である。そうすれば、鋸歯状の咬み合い部が被挟持物に食い込んで挟んだ被挟持物が簡単に抜けてしまうのを防止することができる。
【００２８】
本発明の横挟み式クリップを使用するときには、図３及び図８に示すように、前記押圧部１４、１５を指でコイルバネ５の力に抗して押して前記押圧部１４、１５間を閉じ、前記擺動支持部１０を境にして前記両挟持部１２、１３間を開かせる。
そして、開いた前記両挟持部１２、１３間へ、解放されている側部方向（即ち横方向）から書類などの被挟持物Ｐの直線状の辺縁部を、前記連結部６の内面６ａに当たるまで差し込み、挟み止め位置を決めて指を離す。
するとコイルバネ５の力で前記両挟持部１２、１３間が閉じられて被挟持物Ｐが加圧状態に挟み止められる。
このとき、本発明の横挟み式クリップの一部が被挟持物Ｐの周辺の外側には殆ど食み出す部分がないので、書類などの被挟持物Ｐを書類箱やカバンの中に円滑に入れることができる。
【００２９】
また、本発明の各部の構成部材は、金属やプラスチックなどの素材により、板状、棒状及び線状の材料を使用して製造することができるが、前記両対向部１、２をそれぞれ異なる部材を用い、それらの異なる部材を各部に組み合わせて製造することも可能である。
なお、前記擺動支持部１０については枢支により場合を図示したが、それに限定するものではない。プラスチックでは繰り返し屈曲可能な肉薄部とすることで擺動支持することが可能で、金属板でも一部を繰り返し屈曲可能とすることで擺動支持することができ、鋼材などの金属では附勢可能に擺動支持することが可能である。
【００３０】
なお、前記両挟持部１２、１３の対向位置関係は、端部が正確に接触することが最良であるが、前記擺動支持部１０からの長さが前後方向に差があって、どちらが他方より長くても良い。さらに、前記押圧部１４、１５の対向位置関係も、前記擺動支持部１０からの長さが同じであることが最良であるが、前記擺動支持部１０からの長さが前後に差があって、どちらが他方より長くても良い。
【００３１】
さらに、前記各挟持部１２、１３や前記押圧部１４、１５に形成される平面的部分にはその表面にラベル貼付面や番号書き込み面を形成することもでき、そうすればその面に書類名や書類番号を書き込んだり、着色ラベルを貼って色分けしたりしで書類の管理や整理を行うことが可能となる。
【産業上の利用可能性】
【００３２】
本発明は、紙、布、シートなどの平面的な被挟持物を重ねるなどして挟み止めるためのクリップであるが、そのような物以外の各種の物でも挟み止めをするために使用することが可能である。
【符号の説明】
【００３３】
１    対向部
１ａ  対向部の一方側の側部
１ｂ  対向部の他方側の側部
１ｃ  対向部の対面部
２    対向部
２ａ  対向部の一方側の側部
２ｂ  対向部の他方側の側部
２ｃ  対向部の対面部
３    枢支軸
４    附勢手段
５    コイルバネ
６    連結部
６ａ  連結部の内面
７    押圧側支持部
７ａ  押圧側支持部の内面
８    押圧側支持部の凸部
９    枢支孔
１０  擺動支持部
１１  枢支孔
１２  挟持部
１３  挟持部
１４  押圧部
１５  押圧部
１６  押圧側支持部の凹部
１７  押圧側支持部の凹部
１８  押圧側支持部の凸部
１９  押圧側支持部の凸部
２０  枢支部
２１  連結軸
２２  枢支軸
２３  枢支孔
２４  鋸歯状の押圧部材
Ｐ    被挟持物
【図１】
2010241057.tif 000003
【図２】
2010241057.tif 000004
【図３】
2010241057.tif 000005
【図４】
2010241057.tif 000006
【図５】
2010241057.tif 000007
【図６】
2010241057.tif 000008
【図７】
2010241057.tif 000009
【図８】
2010241057.tif 000010
【図９】
2010241057.tif 000011